(57)【要約】【課題】所望のモニタとモバイル装置との間の無線通信の接続を、より確実に行える「情報システム及び無線通信管理装置」を提供する。【解決手段】マスタ装置１は、モバイル装置３からのモニタサーチ要求（９０１）に応答して、モニタ構成情報を送信し（９０２）、モバイル装置３は、モニタ構成情報に基づいて、各モニタの車内配置を表したモニタ選択画面を表示し（９０３）、ユーザからモニタの選択を受け付け、選択されたモニタ(スレーブ装置Ａ)を示すモニタ選択情報をマスタ装置１に送信する（９０５）。マスタ装置１は、スレーブ装置Ａの状態を無線通信機能やミラーリング表示機能が稼働しているミラーリング表示スタンバイ状態に制御した（９０６-９０７）上で、モバイル装置３との間のミラーリング表示用接続を確立させる（９０８-９０９）。【選択図】図９
2015226153.tif 000002
【特許請求の範囲】
【請求項１】
モバイル装置と、当該モバイル装置と無線通信が可能な複数の情報装置と、当該モバイル装置と無線通信が可能な一つの管理装置とを有する情報システムであって、
前記管理装置は、
前記複数の情報装置の各々についての情報である情報装置情報を記憶した記憶部と、
前記モバイル装置から前記無線通信を介して受信した情報装置情報要求に応答して、前記複数の情報装置の各々についての前記情報装置情報を前記モバイル装置に送信する情報装置情報提供部と、
前記モバイル装置から接続確立対象情報装置として前記無線通信を介して通知された情報装置の状態を、当該情報装置において前記モバイル装置との間の前記無線通信を行う機能部が稼働している状態となるように制御する状態制御を行う状態制御部とを有し、
前記モバイル装置は、
前記管理装置に前記無線通信を介して前記情報装置情報要求を送信する情報装置情報要求部と、
前記管理装置から送信された前記情報装置情報に基づいて、前記複数の情報装置の各々についての情報を表す情報装置選択画面を表示すると共に、前記複数の情報装置のうちの一つの情報装置の選択をユーザから受け付け、選択を受け付けた情報装置を、前記接続確立対象情報装置として前記管理装置に前記無線通信を介して通知する情報装置選択部とを有し、
前記管理装置の状態制御部の状態制御によって前記モバイル装置との間の前記無線通信を行う機能が稼働している状態となるように制御された情報装置と、前記モバイル装置とは、当該情報装置と当該モバイル装置との間の前記無線通信の接続を確立することを特徴とする情報システム。
【請求項２】
請求項１記載の情報システムであって、
前記管理装置の状態制御部は、前記接続確立対象情報装置として通知された情報装置の電源の状態がオフ状態である場合には、前記状態制御において当該情報装置の電源の状態をオン状態に制御することを特徴とする情報システム。
【請求項３】
請求項１または２記載の情報システムであって、
前記管理装置の状態制御部の状態制御によって前記モバイル装置との間の前記無線通信を行う機能部が稼働している状態となるように制御された情報装置と前記モバイル装置とは、ビデオ転送用の前記無線通信の接続を確立し、
前記管理装置の状態制御部は、前記状態制御において、前記接続確立対象情報装置として通知された情報装置の状態を、確立された前記ビデオ転送用の無線通信の接続でビデオが転送された場合に当該ビデオを表示する状態に制御し、
前記モバイル装置は、確立された前記ビデオ転送用の無線通信の接続でビデオを転送することを特徴とする情報システム。
【請求項４】
請求項３記載の情報システムであって、
前記モバイル装置は、確立された前記ビデオ転送用の無線通信の接続で、当該モバイル装置自身が表示しているビデオを転送することを特徴とする情報システム。
【請求項５】
モバイル装置と、当該モバイル装置と無線通信が可能な複数の情報装置と、当該モバイル装置と無線通信が可能な一つの管理装置とを有する情報システムであって、
前記管理装置は、
前記複数の情報装置の各々についての情報である情報装置情報を記憶した記憶部と、
前記モバイル装置から前記無線通信を介して受信した情報装置情報要求に応答して、前記複数の情報装置の各々についての前記情報装置情報を前記モバイル装置に送信する情報装置情報提供部と、
前記モバイル装置から接続確立対象情報装置として前記無線通信を介して通知された情報装置の状態を、確立されたビデオ転送用の無線通信の接続でビデオが転送された場合に当該ビデオを表示する状態に制御する状態制御を行う状態制御部とを有し、
前記モバイル装置は、
前記管理装置に前記無線通信を介して前記情報装置情報要求を送信する情報装置情報要求部と、
前記管理装置から送信された前記情報装置情報に基づいて、前記複数の情報装置の各々についての情報を表す情報装置選択画面を表示すると共に、前記複数の情報装置のうちの一つの情報装置の選択をユーザから受け付け、選択を受け付けた情報装置を、前記接続確立対象情報装置として前記管理装置に前記無線通信を介して通知する情報装置選択部とを有し、
前記管理装置の状態制御部の状態制御によって確立されたビデオ転送用の無線通信の接続でビデオが転送された場合に当該ビデオを表示する状態に制御された情報装置と、前記モバイル装置とは、前記ビデオ転送用の前記無線通信の接続を確立することを特徴とする情報システム。
【請求項６】
請求項５記載の情報システムであって、
前記管理装置の状態制御部は、前記接続確立対象情報装置として通知された情報装置の電源の状態がオフ状態である場合には、前記状態制御において当該情報装置の電源の状態をオン状態に制御することを特徴とする情報システム。
【請求項７】
請求項５または６記載の情報システムであって、
前記モバイル装置は、確立された前記ビデオ転送用の無線通信の接続で、当該モバイル装置自身が表示しているビデオを転送することを特徴とする情報システム。
【請求項８】
請求項１、２、３、４、５、６または７記載の情報システムであって、
前記情報装置と前記モバイル装置との間の無線通信の接続の確立は、前記情報装置が前記管理装置より前記モバイル装置の前記無線通信用の識別情報を取得し、取得した識別情報を用いて前記モバイル装置との間の前記無線通信の接続を確立することにより行われることを特徴とする情報システム。
【請求項９】
請求項１、２、３、４、５、６または７記載の情報システムであって、
前記情報装置と前記モバイル装置との間の無線通信の接続の確立は、前記モバイル装置が前記管理装置より取得した当該情報装置の前記無線通信用の識別情報を用いて前記情報装置との間の前記無線通信の接続を確立することにより行われることを特徴とする情報システム。
【請求項１０】
請求項１、２、３、４、５、６、７、８または９記載の情報システムであって、
前記管理装置は、前記複数の情報装置のうちの一つの情報装置として機能することを特徴とする情報システム。
【請求項１１】
請求項１、２、３、４、５、６、７、８、９または１０記載の情報システムであって、
前記情報装置情報は、前記複数の情報装置の各々の配置位置を示し、
前記情報装置選択画面は、前記複数の情報装置の各々についての情報として、少なくとも前記複数の情報装置の各々の配置位置を表すものであることを特徴とする情報システム。
【請求項１２】
請求項１１記載の情報システムであって、
前記情報装置選択画面は、前記複数の情報装置の各々をそれぞれ表す図形を、前記情報装置情報が表す前記複数の情報装置の配置位置を模擬する配置で表したものであり、
前記情報装置選択部は、前記情報装置選択画面上で前記図形の指定をユーザから受け付け、指定を受け付けた図形が表す情報装置を、ユーザが選択した情報装置として受け付けることを特徴とする情報システム。
【請求項１３】
請求項１、２、３、４、５、６、７、８、９、１０、１１または１２記載の情報システムであって、
前記管理装置と前記複数の情報装置は、自動車の車内に配置されていることを特徴とする情報システム。
【請求項１４】
モバイル装置と無線通信が可能、かつ、当該モバイル装置と無線通信が可能な複数の情報装置と通信が可能な無線通信管理装置であって、
前記複数の情報装置の各々についての情報である情報装置情報を記憶した記憶部と、
前記モバイル装置から前記無線通信を介して受信した情報装置情報要求に応答して、前記複数の情報装置の各々についての前記情報装置情報を前記モバイル装置に送信する情報装置情報提供部と、
前記モバイル装置から接続確立対象情報装置として前記無線通信を介して通知された情報装置の状態を、当該情報装置において前記モバイル装置との間の前記無線通信を行う機能部が稼働している状態となるように制御する状態制御を行う状態制御部とを有することを特徴とする無線通信管理装置。
【発明の詳細な説明】
【技術分野】
【０００１】
本発明は、モバイル装置と、当該モバイル装置と無線通信可能な複数の情報装置とを備えた情報システムにおいて、ユーザが、モバイル装置と所望の情報装置との間の無線通信の接続を容易に行えるように支援する技術に関するものである。
【背景技術】
【０００２】
モバイル装置とモバイル装置と無線通信可能な複数の情報装置とを備えた情報システムにおいて、ユーザが、モバイル装置と所望の情報装置との間の無線通信の接続を容易に行えるように支援する技術としては、モバイル装置と複数のモニタ装置とにより構成される情報処理システムにおいて、モバイル装置と、当該モバイル装置から映像を転送して表示させるモニタ装置との間の無線通信の接続を支援する技術が知られている。
【０００３】
この技術では、モバイル装置において、無線通信可能なモニタ装置をサーチし、サーチによって発見したモニタ装置から当該モニタ装置の情報として当該モニタ装置の機種名と表示サイズを取得し、取得した各モニタ装置の情報の一覧を表示し、ユーザによって一覧中から選択されたモニタ装置との無線通信接続を確立し、モバイル装置から無線通信接続を確立したモニタ装置に映像を転送し、モニタ装置において転送された映像を表示する（たとえば、特許文献１）。
【先行技術文献】
【特許文献】
【０００４】
【特許文献１】特開2009-94799号公報
【発明の概要】
【発明が解決しようとする課題】
【０００５】
上述のようにモバイル装置と複数のモニタ装置とにより構成される情報処理システムにおいて、モバイル装置において、無線通信可能なモニタ装置をサーチして発見したモニタ装置の機種名と表示サイズといった情報の一覧を表示する技術によれば、電源がオフ状態にあるモニタ装置については、無線通信可能なモニタ装置としてモバイル装置のサーチによって発見できないため、当該モニタ装置との無線通信接続を支援することができなくなる。
【０００６】
また、機種名や表示サイズといった情報のみからでは、当該情報が、複数の現実のモニタ装置のうちのいずれのモニタ装置の情報であるのかを、ユーザが識別することが困難な場合があり、このような場合にはユーザが目的とするモニタ装置を適切に選定することができないこととなる。
【０００７】
よって、この技術によれば、ユーザは、所望の情報装置について、当該情報処理装置とモバイル装置との間の無線通信の接続を行うことができない場合がある。
そこで、本発明は、モバイル装置とモバイル装置と無線通信可能な複数の情報装置とを備えた情報システムにおいて、ユーザが、所望の情報装置について、当該情報処理装置とモバイル装置との間の無線通信の接続を、より確実に行えるようにすることを課題とする。
【課題を解決するための手段】
【０００８】
前記課題達成のために、本発明は、前記課題達成のために、モバイル装置と、当該モバイル装置と無線通信が可能な複数の情報装置と、当該モバイル装置と無線通信が可能な一つの管理装置とを有する情報システムを提供する。ただし、前記管理装置は、前記複数の情報装置の各々についての情報である情報装置情報を記憶した記憶部と、前記モバイル装置から前記無線通信を介して受信した情報装置情報要求に応答して、前記複数の情報装置の各々についての前記情報装置情報を前記モバイル装置に送信する情報装置情報提供部と、前記モバイル装置から接続確立対象情報装置として前記無線通信を介して通知された情報装置の状態を、当該情報装置において前記モバイル装置との間の前記無線通信を行う機能部が稼働している状態となるように制御する状態制御を行う状態制御部とを備えている。また、前記モバイル装置は、前記管理装置に前記無線通信を介して前記情報装置情報要求を送信する情報装置情報要求部と、前記管理装置から送信された前記情報装置情報に基づいて、前記複数の情報装置の各々についての情報を表す情報装置選択画面を表示すると共に、前記複数の情報装置のうちの一つの情報装置の選択をユーザから受け付け、選択を受け付けた情報装置を、前記接続確立対象情報装置として前記管理装置に前記無線通信を介して通知する情報装置選択部とを備えている。そして、前記管理装置の状態制御部の状態制御によって前記モバイル装置との間の前記無線通信を行う機能が稼働している状態となるように制御された情報装置と、前記モバイル装置とは、当該情報装置と当該モバイル装置との間の前記無線通信の接続を確立するものである。
【０００９】
ここで、このような情報システムは、前記管理装置の状態制御部において、前記接続確立対象情報装置として通知された情報装置の電源の状態がオフ状態である場合には、前記状態制御において当該情報装置の電源の状態をオン状態に制御するように構成してもよい。
【００１０】
また、以上の情報システムにおいて、前記管理装置の状態制御部の状態制御によって前記モバイル装置との間の前記無線通信を行う機能部が稼働している状態となるように制御された情報装置と前記モバイル装置とは、ビデオ転送用の前記無線通信の接続を確立し、前記管理装置の状態制御部は、前記状態制御において、前記接続確立対象情報装置として通知された情報装置の状態を、確立された前記ビデオ転送用の無線通信の接続でビデオが転送された場合に当該ビデオを表示する状態に制御し、前記モバイル装置は、確立された前記ビデオ転送用の無線通信の接続でビデオを転送するようにしてもよい。
【００１１】
また、この場合には、前記モバイル装置は、確立された前記ビデオ転送用の無線通信の接続で、当該モバイル装置自身が表示しているビデオを転送するものであってもよい。
また、前記課題達成のために、本発明は、モバイル装置と、当該モバイル装置と無線通信が可能な複数の情報装置と、当該モバイル装置と無線通信が可能な一つの管理装置とを有する情報システムにおいて、前記管理装置に、前記複数の情報装置の各々についての情報である情報装置情報を記憶した記憶部と、前記モバイル装置から前記無線通信を介して受信した情報装置情報要求に応答して、前記複数の情報装置の各々についての前記情報装置情報を前記モバイル装置に送信する情報装置情報提供部と、前記モバイル装置から接続確立対象情報装置として前記無線通信を介して通知された情報装置の状態を、確立されたビデオ転送用の無線通信の接続でビデオが転送された場合に当該ビデオを表示する状態に制御する状態制御を行う状態制御部とを備え、前記モバイル装置に、前記管理装置に前記無線通信を介して前記情報装置情報要求を送信する情報装置情報要求部と、前記管理装置から送信された前記情報装置情報に基づいて、前記複数の情報装置の各々についての情報を表す情報装置選択画面を表示すると共に、前記複数の情報装置のうちの一つの情報装置の選択をユーザから受け付け、選択を受け付けた情報装置を、前記接続確立対象情報装置として前記管理装置に前記無線通信を介して通知する情報装置選択部とを備えたものである。ただし、前記管理装置の状態制御部の状態制御によって確立されたビデオ転送用の無線通信の接続でビデオが転送された場合に当該ビデオを表示する状態に制御された情報装置と、前記モバイル装置とは、前記ビデオ転送用の前記無線通信の接続を確立するものである。
【００１２】
ここで、このような情報システムは、前記管理装置の状態制御部において、前記接続確立対象情報装置として通知された情報装置の電源の状態がオフ状態である場合には、前記状態制御において当該情報装置の電源の状態をオン状態に制御するように構成してもよい。
【００１３】
また、これらのような情報システムにおいて、前記モバイル装置は、確立された前記ビデオ転送用の無線通信の接続で、当該モバイル装置自身が表示しているビデオを転送するものであってもよい。
【００１４】
また、以上の各情報システムにおいて、前記情報装置と前記モバイル装置との間の無線通信の接続の確立は、前記情報装置が前記管理装置より前記モバイル装置の前記無線通信用の識別情報を取得し、取得した識別情報を用いて前記モバイル装置との間の前記無線通信の接続を確立することにより行われるものであってもよいし、前記モバイル装置が前記管理装置より取得した当該情報装置の前記無線通信用の識別情報を用いて前記情報装置との間の前記無線通信の接続を確立することにより行われるものであってもよい。
【００１５】
また、以上の各情報システムにおいて、前記管理装置は、前記複数の情報装置のうちの一つの情報装置として機能するものであってよい。
また、以上の各情報システムにおいて、前記情報装置情報は、前記複数の情報装置の各々の配置位置を示すものとし、前記情報装置選択画面は、前記複数の情報装置の各々についての情報として、少なくとも前記複数の情報装置の各々の配置位置を表すものとすることも好ましい。
【００１６】
また、この場合には、前記情報装置選択画面を、前記複数の情報装置の各々を、それぞれ表す図形を、前記情報装置情報が表す前記複数の情報装置の配置位置を模擬する配置で表したものとし、前記情報装置選択部は、前記情報装置選択画面上で前記図形の指定をユーザから受け付け、指定を受け付けた図形が表す情報装置を、ユーザが選択した情報装置として受け付けるようにすることが好ましい。
【００１７】
なお、以上の情報システムにおいて、前記管理装置と前記複数の情報装置は、自動車の車内に配置されているものであってもよい。
以上のような情報システムによれば、各情報装置の情報を管理装置に集約し、モバイル装置が管理装置から各情報装置の情報を取得して、情報装置の選択をユーザから受け付けるための情報装置選択画面を表示するようにしたので、電源がオフ状態にある情報処理装置についてもユーザは情報装置選択画面で選択することができるようになる。
【００１８】
また、ユーザが選択した情報装置は、電源がオフ状態であるなど、モバイル装置との無線通信が行えない状態にあっても、管理装置によって、モバイル装置との間の前記無線通信を行う機能部が稼働している状態に制御されるので、選択した情報装置に対する電源オンなどのユーザの特段の操作を必要とすることなく、モバイル装置とユーザが選択した情報装置と無線通信の接続は支障なく確立できるようになる。
【００１９】
また、情報装置がモバイル装置から転送されたビデオを表示するものである場合に、ユーザが選択した情報装置を、管理装置によって、確立された無線通信の接続でビデオが転送された場合に当該ビデオを表示する状態に制御する情報システムによれば、選択した情報装置に対する表示するビデオのソース切り替えなどのユーザの特段の操作を必要とすることなく、モバイル装置から転送したビデオをユーザが選択した情報装置に表示することができるようになる。
【００２０】
また、情報装置選択画面において情報装置の各々の配置位置を表すようにした情報システムによれば、ユーザは情報装置の配置位置に基づいて所望の情報装置を適切に選定することができるようになる。
【発明の効果】
【００２１】
以上のように、本発明によれば、モバイル装置とモバイル装置と無線通信可能な複数の情報装置とを備えた情報システムにおいて、ユーザが、所望の情報装置について、当該情報処理装置とモバイル装置との間の無線通信の接続を、より確実に行えるようにすることができる。
【図面の簡単な説明】
【００２２】
【図１】本発明の実施形態に係る情報システムの構成を示すブロック図である。
【図２】本発明の実施形態に係るマスタ装置とスレーブ装置の構成を示すブロック図である。
【図３】本発明の実施形態に係るモバイル装置の構成を示すブロック図である。
【図４】本発明の実施形態に係るモニタ構成テーブルを示す図である。
【図５】本発明の実施形態に係るミラーリング接続制御処理を示すフローチャートである。
【図６】本発明の実施形態に係るミラーリング制御処理を示すフローチャートである。
【図７】本発明の実施形態に係るモニタ選択画面を示す図である。
【図８】本発明の実施形態に係るモニタ選択画面の他の例を示す図である。
【図９】本発明の実施形態に係る情報システムの動作例を示すシーケンス図である。
【発明を実施するための形態】
【００２３】
以下、本発明の実施形態について説明する。
図１ａに、本実施形態に係る情報システムの構成を示す。
図示するように、情報システムは一つのマスタ装置１、複数のスレーブ装置２と、モバイル装置３より構成される。
マスタ装置１とスレーブ装置２は、自動車に搭載されており、車載通信バス４で接続されている。また、モバイル装置３は、マスタ装置１や複数のスレーブ装置２の各々と無線通信を接続することができる。
【００２４】
ここで、図１ｂに示すように、マスタ装置１は、たとえば、自動車のダッシュボード内に設置される。また、スレーブ装置２の各々は、運転席/助手席前方のサンバイザや、運転席/助手席のヘッドレストの後部や、自動車内の座席２列目の上の天井などに適宜設置される。また、モバイル装置３は、スマートフォンやタブレット装置などのユーザによって携帯される装置であり、ユーザによって自動車車内に持ち込まれるものである。
【００２５】
次に、図２に、マスタ装置１とスレーブ装置２の構成を示す。
図示するように、マスタ装置１は、入力装置１０１、表示装置１０２、マイクやスピーカなどを備えた音声入出力装置１０３、無線インタフェース１０４、バスインタフェース１０５、記憶装置１０６、ＴＶ受信機やＧＰＳ受信機や自動車の各種状態を検出するセンサなどの各種の周辺装置１０７、オペレーティングシステム１１０、オペレーティングシステム１１０上で稼働するアプリケーションを備えている。
【００２６】
また、マスタ装置１は、上述したアプリケーションとして、ミラーリング接続制御アプリケーション１１１、スレーブ表示制御アプリケーション１１２、ミラーリング表示アプリケーション１１３、その他のアプリケーションを備えている。なお、その他のアプリケーションとしては、たとえば、マスタ装置１をＴＶやビデオプレイヤとして機能させるメディアプレイヤアプリケーションや、ナビゲーションアプリケーションなどを備える。
【００２７】
次に、スレーブ装置２は、操作部２０１、ディスプレイ２０２、スピーカなどの音声出力装置２０３、無線インタフェース２０４、バスインタフェース２０５、外部ビデオ入力インタフェース２０６、オペレーティングシステム２１０、オペレーティングシステム２１０上で稼働するアプリケーションとを備えている。
【００２８】
また、スレーブ装置２は、上述したアプリケーションとして、表示制御アプリケーション２１１、ミラーリング表示アプリケーション２１２、その他のアプリケーションを備えている。
【００２９】
ここで、以上のようなマスタ装置１やスレーブ装置２や、ハードウエア的には、ＣＰＵやメモリなどを備えたコンピュータを用いて構成されるものであってよく、この場合、オペレーティングシステム１１０/オペレーティングシステム２１０や、アプリケーション/アプリケーションなどは、当該コンピュータが、所定のコンピュータプログラムを実行することにより実現されるものである。
【００３０】
さて、このようなマスタ装置１のバスインタフェース１０５とスレーブ装置２のバスインタフェース２０５は車載通信バス４に接続しており、車載通信バス４を介してマスタ装置１とスレーブ装置２は相互に通信を行うことができる。
【００３１】
そして、マスタ装置１のスレーブ表示制御アプリケーション１１２は、マスタ装置１のメディアプレイヤやナビゲーションアプリケーションなどのマスタ装置１の各種アプリケーションが出力するビデオを車載通信バス４を介してスレーブ装置２へ転送する制御を行う。また、マスタ装置１のスレーブ表示制御アプリケーション１１２は、車載通信バス４を介してスレーブ装置２の表示制御アプリケーション２１１の動作の制御を行う。
【００３２】
そして、スレーブ装置２の表示制御アプリケーション２１１は、マスタ装置１のスレーブ表示制御アプリケーション１１２の制御に従って、スレーブ装置２のディスプレイ２０２や音声出力装置２０３へのビデオの出力の有無の制御や、ディスプレイ２０２や音声出力装置２０３へ出力するビデオのソースを、マスタ装置１から送信されたビデオと、外部ビデオ入力インタフェース２０６を介してスレーブ装置２に外部から入力する、その他のビデオの間で切り替える制御などを行う。
【００３３】
結果、本情報システムにおいては、スレーブ装置２に、マスタ装置１や、外部ビデオ入力インタフェース２０６に接続した外部装置からビデオを出力して、スレーブ装置２のディスプレイ２０２に表示することができる。
【００３４】
次に、モバイル装置３の構成を図３に示す。
図示するように、モバイル装置３は、タッチパネル３０１、表示部３０２、マイクやスピーカなどを備えた音声入出力部３０３、無線インタフェース３０４、記憶部３０５、移動体通信網にアクセスするための移動通信装置３０６、その他の周辺デバイス３０７、モバイルオペレーティングシステム３１０、モバイルオペレーティングシステム３１０上で稼働するアプリケーションであるモバイルアプリケーションを備えている。
【００３５】
また、モバイル装置３は、上述したモバイルアプリケーションとして、移動通信装置３０６や音声入出力部３０３やタッチパネル３０１を用いた移動電話機能を提供する移動電話アプリケーション３１１と、ミラーリング制御アプリケーション３１２と、ビデオプレイヤアプリケーション３１３と、その他のアプリケーションを備えている。
【００３６】
ただし、モバイル装置３は、ハードウエア的には、ＣＰＵやメモリなどを備えたコンピュータを用いて構成されるものあり、モバイルオペレーティングシステム３１０やモバイルアプリケーションなどは、当該コンピュータが、所定のコンピュータプログラムを実行することにより実現されるものである。
【００３７】
ここで、以下では、マスタ装置１と各スレーブ装置２とを区別して説明する場合を除き、マスタ装置１と各スレーブ装置２とを「モニタ」との共通の名称で表して本実施形態の説明を行う。
【００３８】
さて、次に、マスタ装置１が記憶装置１０６に格納するモニタ構成テーブルについて説明する。
図４に示すように、モニタ構成テーブルは、マスタ装置１と複数のスレーブ装置２との各々をモニタとして、各モニタの情報を登録したテーブルである。
また、各モニタの情報としては、モニタの名称、モニタのネットワークネットワークデバイス名などの無線通信用のID、モニタの設置場所、モニタのミラーリング機能の有無、モニタのディスプレイサイズ、状態とが登録される。
【００３９】
ここで、モニタの設置場所としては、ダッシュボード、運転席/助手席前方のサンバイザ、運転席/助手席のヘッドレスト後部や、２列目天井といったモニタが設置されている自動車内の位置が登録される。
【００４０】
また、モニタのミラーリング機能とは、モバイル装置３と無線通信を接続しモバイル装置３から無線接続によってミラーリング出力される映像を表示する機能である。
そして、本実施形態では、マスタ装置１のミラーリング表示アプリケーション１１３や、スレーブ装置２のミラーリング表示アプリケーション２１２がミラーリング機能を担っている。なお、マスタ装置１や一部のスレーブ装置２は、ミラーリング機能を備えていなくてもよい。すなわち、マスタ装置１はミラーリング表示アプリケーション１１３を備えていなくても良く、また、一部のスレーブ装置２は、ミラーリング表示アプリケーション２１２を備えていなくても良い。
【００４１】
また、モニタのディスプレイサイズとは、モニタがマスタ装置１であれば表示装置１０２の画面のインチサイズや解像度であり、モニタがスレーブ装置２であればディスプレイ２０２の画面のインチサイズや解像度である。
【００４２】
また、モニタの状態とは、モニタの電源のオン/オフの状態を登録する。また、ディスプレイ２０２が収容できるタイプのモニタについては収容中の有無もモニタの状態として登録する。
【００４３】
ここで、以上のようなモニタ構成テーブルのモニタの状態を除く項目の内容は、予め設定するか、マスタ装置１のミラーリング接続制御アプリケーション１１１が車載通信バス４を介して各スレーブ装置２から各項目の情報を取得して設定する。
【００４４】
また、モニタ構成テーブルのモニタの状態は、各スレーブ装置２が自身の状態が変化するときに、当該状態の変化をマスタ装置１に通知し、ミラーリング接続制御アプリケーション１１１において、通知内容に応じて、モニタ構成テーブルのモニタの状態を更新することにより設定する。
【００４５】
以下、このような情報システムにおいて行うモバイル装置３のミラーリング表示の動作について説明する。
ここで、モバイル装置３のミラーリング表示の動作とは、モバイル装置３が表示部３０２に表示しているビデオをモニタにおいても表示する動作である。
そして、モバイル装置３のミラーリング表示の動作は、モバイル装置３とモニタとの間のミラーリング表示用の無線通信の接続を確立する第１段階の動作と、モバイル装置３からミラーリング表示用の無線通信の接続が確立したモニタに、ビデオプレイヤが再生しているビデオなどのモバイル装置３の表示部３０２に表示しているビデオを転送し、モバイル装置３とのミラーリング表示用の無線通信の接続が確立したモニタにおいて、モバイル装置３から転送されたビデオを表示する第２段階の動作とより実現される。
【００４６】
ここで、第２段階の動作における、モバイル装置３からミラーリング表示用の無線通信の接続が確立したモニタへの表示部３０２に表示しているビデオの転送は、モバイルオペレーティングシステム３１０が備えるミラーリング出力機能によって実現される。また、第２段階の動作における、モニタのモバイル装置３から転送されたビデオの表示は、モバイル装置３とのミラーリング表示用の無線通信の接続が確立したモニタがマスタ装置１であれば、ミラーリング表示アプリケーション１１３が上述したミラーリング機能によって転送されたビデオを表示装置１０２に表示することによって行われ、モバイル装置３とのミラーリング表示用の無線通信の接続が確立したモニタがスレーブ装置２であれば、ミラーリング表示アプリケーション２１２が上述したミラーリング機能転送されたビデオをディスプレイ２０２に表示することによって行われる。
【００４７】
以下、モバイル装置３のミラーリング表示の第１段階の動作である、モバイル装置３とモニタとの間のミラーリング表示用の無線通信の接続を確立する動作の詳細について説明する。
【００４８】
図５に、モバイル装置３とモニタとの間のミラーリング表示用の無線通信の接続の確立のために、モバイル装置３のミラーリング制御アプリケーション３１２が行うミラーリング制御処理の手順を示す。なお、ミラーリング制御処理はモバイル装置３のミラーリング制御アプリケーション３１２が起動されたときや、ユーザからミラーリング制御処理の実行が指示されたときに実行される処理である。
【００４９】
図示するように、モバイル装置３のミラーリング制御アプリケーション３１２はミラーリング制御処理において、まず、無線インタフェース３０４を介した無線通信によってマスタ装置１と接続可能であるかどうかを調べ（ステップ５０２）、接続可能でなければ処理を終了する。
【００５０】
一方、マスタ装置１と無線インタフェース３０４を介した無線通信によって接続可能であれば（ステップ５０２）、マスタ装置１に無線インタフェース３０４を介した無線通信で、モニタサーチ要求を送信する（ステップ５０４）。ここで、モバイル装置３おけるマスタ装置１の識別は、マスタ装置１のネットワークデバイス名などの無線通信用のIDを予めモバイル装置３に登録しておくことにより行う。ただし、モバイル装置３おけるマスタ装置１の識別は、モバイル装置３とマスタ装置１との間で無線通信を介して所定のマスタ装置探索シーケンスを実行することにより行うようにしてもよい。
【００５１】
そして、モニタサーチ要求に対する応答としてマスタ装置１からモニタ構成情報を受信したならば（ステップ５０６）、受信したモニタ構成情報に基づいてモニタ選択画面を生成し表示する（ステップ５０８）。ここで、モニタ構成情報とモニタ選択画面の詳細については後述する。
【００５２】
そして、ユーザから、モニタ選択画面上でモニタの選択を受け付けたならば（ステップ５１０）、選択されたモニタの識別を表すモニタ選択情報をマスタ装置１に無線インタフェース３０４を介した無線通信で送信し（ステップ５１２）、無線インタフェース３０４の通信モードをミラーリング表示用の無線通信に用いる通信モードに設定する（ステップ５１４）。
【００５３】
そして、ミラーリング表示用の無線通信の接続の確立を待ち（ステップ５１６）、モバイルオペレーティングシステム３１０にミラーリング出力モードを設定し（ステップ５１８）ミラーリング制御処理を終了する。
【００５４】
ここで、ミラーリング出力モードは、ミラーリング表示用の無線通信の接続を用いて、表示部３０２に表示しているビデオのモニタへの転送を行うモードである。
以上、モバイル装置３のミラーリング制御アプリケーション３１２が行うミラーリング制御処理について説明した。
次に、モバイル装置３とモニタとの間のミラーリング表示用の無線通信の接続を確立のために、マスタ装置１のミラーリング接続制御アプリケーション１１１が行うミラーリング接続制御処理について説明する。
【００５５】
図６に、このミラーリング接続制御アプリケーション１１１が行うミラーリング接続制御処理の手順を示す。
図示するように、ミラーリング接続制御アプリケーション１１１は、ミラーリング接続制御処理において、モバイル装置３からのモニタサーチ要求の受信を待ち（ステップ６０２）、モニタサーチ要求を受信したならば、モニタ構成テーブルに登録されている各モニタの情報をモニタ構成情報としてモバイル装置３に送信する（ステップ６０４）。すなわち、ステップ６０４では、情報システムに含まれるマスタ装置１と各スレーブ装置２の各々をモニタとして、各モニタの名称、ネットワークデバイス名などの無線通信用のID、設置場所、ミラーリング機能の有無、ディスプレイサイズ、状態を、モニタ構成情報としてモバイル装置３に送信する。
【００５６】
そして、モバイル装置３からのモニタ選択情報を受信したならば（ステップ６０６）、モニタ選択情報が示すモニタを制御し、当該モニタの状態のミラーリング表示スタンバイ状態への遷移を制御する（ステップ６０８）。ここで、ミラーリング表示スタンバイ状態とは、ミラーリング表示用の無線通信の接続の確立や、ミラーリング表示に必要な機能が稼働しており、ミラーリング表示用の無線通信の接続を介してビデオが転送されたならば、転送されたビデオを表示する状態を指す。
【００５７】
より具体的には、ステップ６０８では、モニタ選択情報が示すモニタがマスタ装置１であれば、ミラーリング表示アプリケーション１１３を起動する処理を行う。また、ステップ６０８では、モニタ選択情報が示すモニタが、電源の状態がオンのスレーブ装置２であれば、車載通信バス４を介して、スレーブ装置２に、無線インタフェース２０４とミラーリング表示アプリケーション２１２を起動させる処理を行う。また、ステップ６０８では、モニタ選択情報が示すモニタが、電源の状態がオフのスレーブ装置２であれば、車載通信バス４を介して、スレーブ装置２の電源のオンを制御し、その後、スレーブ装置２に、無線インタフェース２０４とミラーリング表示アプリケーション２１２を起動させる処理を行う。また、ステップ６０８では、モニタ選択情報が示すモニタが、ディスプレイ２０２が収容できるタイプのスレーブ装置２であり、スレーブ装置２がディスプレイ２０２の自動開閉機能を備えており、かつ、収容有無状態が収容中であれば、車載通信バス４を介して、スレーブ装置２に、ディスプレイ２０２を開かせる（非収容状態とする）処理も行う。
【００５８】
なお、スレーブ装置２は、電源オフ状態でも、電源のオン/オフを制御する機能部は待ち受け電源で動作しており、マスタ装置１は、車載通信バス４を介して当該機能部を制御することにより、スレーブ装置２の電源をオンとすることができる。
【００５９】
また、マスタ装置１において、ミラーリング表示アプリケーション１１３が起動されると、マスタ装置１にミラーリング表示用の無線通信の接続を介して転送されたビデオは、ミラーリング表示アプリケーション１１３によって表示装置１０２に表示されるようになる。また、スレーブ装置２においてミラーリング表示アプリケーション２１２が起動されると、スレーブ装置２にミラーリング表示用の無線通信の接続を介して転送されたビデオは、ミラーリング表示アプリケーション２１２によって表示装置２０２に表示されるようになる。
【００６０】
そして、以上のようにモニタ選択情報が示すモニタを制御し、ミラーリング表示スタンバイ状態への遷移を制御したならば（ステップ６０８）、モニタ選択情報が示すモニタとモバイル装置３とのミラーリング表示用の無線通信の接続の確立を制御し（ステップ６１０）、ステップ６０２からの処理に戻る。
【００６１】
ここで、ステップ６１０では、モニタ選択情報が示すモニタがマスタ装置１であれば、無線インタフェース１０４の通信モードをミラーリング表示用の無線通信に用いる通信モードとし、無線インタフェース１０４を介して当該通信モードによるモバイル装置３との無線通信の接続を、ミラーリング表示用の無線通信の接続として確立する処理を行う。
【００６２】
また、ステップ６１０では、モニタ選択情報が示すモニタがスレーブ装置２であれば、車載通信バス４を介して、スレーブ装置２を制御し、スレーブ装置２の無線インタフェース２０４の通信モードをミラーリング表示用の無線通信に用いる通信モードに設定すると共に、車載通信バス４を介してモバイル装置３のネットワークデバイス名などの無線通信用のIDをスレーブ装置２に通知し、無線通信用のIDを通知したモバイル装置３との無線インタフェース２０４を介した無線通信の接続を、ミラーリング表示用の無線通信の接続としてスレーブ装置２に確立させる処理を行う。
【００６３】
ただし、モニタ選択情報が示すモニタとモバイル装置３とのミラーリング表示用の無線通信の接続の確立は、モバイル装置３のミラーリング制御処理において、選択されたモニタとの無線インタフェース３０４を介した無線通信の接続を、モニタ構成情報が示すユーザによって選択されたモニタの無線通信用のIDを用いて確立することにより行うようにしてもよい。
【００６４】
なお、本実施形態において、ミラーリング表示用の無線通信に用いる通信モードとしては、P2P（peer to peer）通信を行うWi-Fi Directなどのad hoc modeを用いることができる。
【００６５】
また、ステップ６１０で通信モードをミラーリング表示用の無線通信に用いる通信モードに設定する前の、モバイル装置３とマスタ装置１との無線通信に用いる通信モードとしては、マスタ装置１の無線インタフェース１０４をWi-Fiのアクセスポイントとして機能させるinfrastructure modeを用いることができる。
【００６６】
ただし、ステップ６１０で通信モードをミラーリング表示用の無線通信に用いる通信モードに設定する前の、モバイル装置３とマスタ装置１との無線通信に用いる通信モードとしては、ミラーリング表示用の無線通信に用いる通信モードと同じ通信モードを使用するようにすることもできる。
【００６７】
以上、マスタ装置１のミラーリング接続制御アプリケーション１１１が行うミラーリング接続制御処理について説明した。
以下、上述したようにモバイル装置３のミラーリング制御アプリケーション３１２がマスタ装置１から取得したモニタ構成情報に基づいて生成し表示するモニタ選択画面について説明する。
【００６８】
図７ａに示すように、モニタ選択画面は、車内のようすを表した模擬した車内模擬画像７０１上に、モニタ構成情報に情報が含まれる各モニタをそれぞれ表すモニタ図形７０２を表示したものである。但し、各モニタ図形７０２は、当該モニタ図形７０２が表すモニタのモニタ構成情報が示す当該モニタの設置場所に相当する、車内模擬画像７０１上の位置に配置して表示する。
【００６９】
ここで、モニタ選択画面においては、各モニタ図形７０２は、当該モニタ図形７０２が表すモニタのモニタ構成情報が示すミラーリング機能の有無や状態に応じた形態で表示するようにしてもよい。
【００７０】
たとえば、図７ｂに示すように、ミラーリング機能が無のモニタのモニタ図形７０２ａについては輝度を低下させて表示するようにしてもよい。
また、図７ｂに示すように、状態が収容中のモニタ７０２ｂについては、他のモニタとは異なる図形をモニタ図形として用いて表示するようにしてもよい。
また、たとえば、電源がオフのモニタ図形７０２については、電源がオンのモニタ図形７０２とは異なる色や装飾を付して表示するようにしてもよい。
なお、ミラーリング機能が無のモニタのモニタ図形７０２は、図７ｃに示すように、モニタ選択画面に表示しないようにしてもよい。
さて、このようなモニタ選択画面を用いて、モバイル装置３のミラーリング制御アプリケーション３１２は、図７ｃに示すように、タッチパネル３０１を用いたモニタ図形７０２のタッチまたはデタッチによる指定を受け付け、指定されたモニタ図形７０２が表すモニタの選択を受け付けて、選択を受け付けたモニタの識別を表すモニタ選択情報をマスタ装置１に無線インタフェース３０４を介した無線通信で送信する。但し、ミラーリング機能が無のモニタのモニタ図形７０２の指定は、これを受け付けないようにする。
【００７１】
なお、モバイル装置３のミラーリング制御アプリケーション３１２は、モニタ図形７０２の選択をデタッチにより受け付けると共に、モニタ選択画面上のモニタ図形７０２のタッチが所定時間以上継続した場合には、図７ｄに示すように、タッチされているモニタ図形７０２が表すモニタの情報の内容７０３を表示するようにしてもよい。なお、この場合、当該所定時間以上継続したタッチのデタッチによるモニタ図形７０２が表すモニタの選択は受け付けないようにする。
【００７２】
なお、モニタ選択画面としては、図８ａに示すような、マスタ装置１から受信したモニタ構成情報が示す各モニタの情報をリスト表示した画面を用い、図８ｂに示すように、リスト上でのタッチに応じて、タッチされた位置に表示している情報に対応するモニタの選択を受け付けるようにしてもよい。
【００７３】
なお、図８ａに示すように、この場合にも、ミラーリング機能が無のモニタの情報は、他のモニタとは異なる形態で表示すると共に、ミラーリング機能が無のモニタの選択は受け付けないようにする。
【００７４】
また、ミラーリング機能が無のモニタの情報は、モニタ選択画面に表示しないようにしてもよい。
また、図８ａに示すように、ディスプレイ２０２の自動開閉機能を備えていない、ディスプレイ２０２が収容できるタイプのスレーブ装置２であるモニタについては、当該モニタの情報が状態が収容中であることを表している場合には、当該モニタの情報に、注意マーク８０１等を付して、手動でディスプレイ２０２を開かないと利用できない旨を表すようにしてもよい。
【００７５】
以上、モニタ選択画面について説明した。
次に、以上のようなモバイル装置３のミラーリング表示の動作例を図９に示す。
図９に示した例は、モバイル装置３からスレーブ装置Ａにビデオを転送して、スレーブ装置Ａのディスプレイ２０２に転送したビデオを表示するミラーリング表示を行う場合の動作例である。
【００７６】
図示するように、自動車内でモバイル装置３のビデオをスレーブ装置Ａに表示するために、ユーザがモバイル装置３のミラーリング制御アプリケーション３１２を起動すると、モバイル装置３からマスタ装置１にモニタサーチ要求が送信（９０１）される。
【００７７】
すると、モニタサーチ要求の応答としてマスタ装置１からモバイル装置３に、自動車内の各モニタの情報を含むモニタ構成情報が送信（９０２）される。
モバイル装置３は、受け取ったモニタ構成情報に基づいて図７、８に示したようなモニタ選択画面を表示し（９０３）、ユーザからモニタの選択を受け付ける。
ユーザが、モニタ選択画面でスレーブ装置Ａを選択すると（９０４）、モバイル装置３は、スレーブ装置Ａを示すモニタ選択情報をマスタ装置１に送信する（９０５）。
モニタ選択情報を受け取ったマスタ装置１は、モニタ選択情報が示すスレーブ装置Ａのミラーリング表示スタンバイ状態への遷移を制御する（９０６）。
スレーブ装置Ａは、マスタ装置１の制御に従って、ミラーリング表示に必要な機能を起動し、ミラーリング表示スタンバイ状態に遷移する（９０７）。
次にマスタ装置１は、スレーブ装置Ａのモバイル装置３との間のミラーリング表示用接続の確立を制御し（９０８）、スレーブ装置Ａはマスタ装置１の制御に従ってモバイル装置３との間のミラーリング表示用接続を確立する（９０９）。
【００７８】
スレーブ装置Ａとモバイル装置３との間のミラーリング表示用接続が確立すると、モバイル装置３はミラーリング出力モードを設定し（９１０）、以降、モバイル装置３に表示するビデオと同じビデオをスレーブ装置Ａに転送し、スレーブ装置Ａは転送されたビデオをディスプレイ２０２に表示する。
【００７９】
すなわち、たとえば、モバイル装置３においてビデオのプレイが開始されたならば（９１１）、モバイル装置３はビデオを表示部３０２に表示する（９１２）と共に、ビデオをミラーリング表示用接続を用いてスレーブ装置Ａに転送し（９１３）、スレーブ装置Ａは転送されたビデオを自身のディスプレイ２０２に表示する（９１４）。
【００８０】
結果、モバイル装置３からスレーブ装置Ａにビデオを転送して、スレーブ装置Ａのディスプレイ２０２に転送したビデオを表示するミラーリング表示が実現される。
以上、本発明の実施形態について説明した。
以上のように、本実施形態では、各モニタの情報をマスタ装置１に集約し、モバイル装置３がマスタ装置１から各モニタの情報を取得して、モニタの選択をユーザから受け付けるためのモニタ選択画面を表示するようにしたので、電源がオフ状態にある情報処理装置についてもユーザはモニタ選択画面で選択することができるようになる。
【００８１】
また、ユーザが選択したモニタは、電源がオフ状態であるなど、モバイル装置３との無線通信が行えない状態にあっても、マスタ装置１によって、モバイル装置３との間の前記無線通信を行う機能部が稼働している状態に遷移するよう制御されるので、選択したモニタに対する電源オンなどのユーザの特段の操作を必要とすることなく、モバイル装置３とユーザが選択したモニタと無線通信の接続は支障なく確立できるようになる。
【００８２】
また、マスタ装置１によって、ユーザが選択したモニタを、確立された無線通信の接続でビデオが転送された場合に当該ビデオを表示する状態に制御するので、ミラーリング表示アプリケーション１１３/２１２の起動などのユーザの特段の操作を必要とすることなく、モバイル装置３から転送したビデオをユーザが選択したモニタにおいて表示することができるようになる。
【００８３】
また、モニタ選択画面において、モニタの各々の配置位置を表すようにしたので、ユーザは配置位置に基づいて、所望のモニタを適切に選定することができるようになる。
なお、以上の実施形態では、モニタにおいてモバイル装置３のミラーリング表示を行うために、モニタとモバイル装置３とで無線通信を接続する場合について説明したが、本実施形態における、モバイル装置３におけるモニタ選択受け付けの技術や、モバイル装置３と選択されたモニタとの無線通信の接続を確立する技術は、モバイル装置３と複数の任意の情報装置とを備えた情報システムにおいて、任意の用途のために、モバイル装置３において情報装置の選択を受け付け、モバイル装置３と選択された情報装置との無線接続を確立する場合について、同様に適用することができる。
【符号の説明】
【００８４】
１…マスタ装置、２…スレーブ装置、３…モバイル装置、４…車載通信バス、１０１…入力装置、１０２…表示装置、１０３…音声入出力装置、１０４…無線インタフェース、１０５…バスインタフェース、１０６…記憶装置、１０７…周辺装置、１１０…オペレーティングシステム、１１１…ミラーリング接続制御アプリケーション、１１２…スレーブ表示制御アプリケーション、１１３…ミラーリング表示アプリケーション、２０１…操作部、２０２…ディスプレイ、２０３…音声出力装置、２０４…無線インタフェース、２０５…バスインタフェース、２０６…外部ビデオ入力インタフェース、２１０…オペレーティングシステム、２１１…表示制御アプリケーション、２１２…ミラーリング表示アプリケーション、３０１…タッチパネル、３０２…表示部、３０３…音声入出力部、３０４…無線インタフェース、３０５…記憶部、３０６…移動通信装置、３０７…周辺デバイス、３１０…モバイルオペレーティングシステム、３１１…移動電話アプリケーション、３１２…ミラーリング制御アプリケーション、３１３…ビデオプレイヤアプリケーション。
【図１】
2015226153.tif 000003
【図２】
2015226153.tif 000004
【図３】
2015226153.tif 000005
【図４】
2015226153.tif 000006
【図５】
2015226153.tif 000007
【図６】
2015226153.tif 000008
【図７】
2015226153.tif 000009
【図８】
2015226153.tif 000010
【図９】
2015226153.tif 000011